(57)【特許請求の範囲】
【請求項１】
弾性変位可能な一対の脚部を備えて一方の部材に装着されるスプリングにより、同一方の部材に対して正規嵌合した他方の部材を離脱不能にロックするロック構造であって、
前記スプリングは、前記他方の部材の被係合部が通過する通過路に前記脚部が進入する進入位置と、前記通過路から前記脚部が退避する退避位置との間を変位可能とされ、前記一方の部材から上方に離間する方向に変位することで前記進入位置から前記退避位置に至るものであり、前記脚部が前記被係合部に係合することにより前記他方の部材を離脱不能にロックし、前記脚部が前記通過路から退避することでロックの解除がなされるものにおいて、
前記一方の部材にはシーソー状に傾動可能なロック解除アームが設けられ、このロック解除アームの一端は、前記スプリングと前記一方の部材との間に配されて同スプリングを前記一方の部材から上方に離間する方向へ押し動かす押動部とされ、他端は、押圧操作されることによって前記押動部を押動する操作部とされており、
前記ロック解除アームには、前記スプリングのうち前記一対の脚部の中間部を挟んで前記押動部とは反対側の位置に張出部が設けられ、
前記押動部は、前記スプリングを押動する際に前記スプリングが押し付けられる側に凹む形状をなし、前記スプリングは前記押動部の凹みに落とし込まれるとともに、前記張出部によりその上端が抑えられて保持されていることを特徴とするロック構造。
【請求項２】
前記スプリングは、前記一方の部材に形成された周方向に延びる溝部に装着されることを特徴とする請求項１に記載のロック構造。
【請求項３】
弾性変位可能な一対の脚部を備えてハウジングに装着されるスプリングにより、同ハウジングに対して正規嵌合した相手側ハウジングを離脱不能にロックするコネクタであって、
前記スプリングは、前記相手側ハウジングの被係合部が通過する通過路に前記脚部が進入する進入位置と、前記通過路から前記脚部が退避する退避位置との間を変位可能とされ、前記ハウジングから上方に離間する方向に変位することで前記進入位置から前記退避位置に至るものであり、前記脚部が前記被係合部に係合することにより前記相手側ハウジングを離脱不能にロックし、前記脚部が前記通過路から退避することでロックの解除がなされるものにおいて、
前記ハウジングにはシーソー状に傾動可能なロック解除アームが設けられ、このロック解除アームの一端は、前記スプリングと前記ハウジングとの間に配されて同スプリングを前記ハウジングから上方に離間する方向へ押し動かす押動部とされ、他端は、押圧操作されることによって前記押動部を押動する操作部とされており、
前記ロック解除アームには、前記スプリングのうち前記一対の脚部の中間部を挟んで前記押動部とは反対側の位置に張出部が設けられ、前記押動部は、前記スプリングを押動する際に前記スプリングが押し付けられる側に凹む形状をなし、前記スプリングは前記押動部の凹みに落とし込まれるとともに、前記張出部によりその上端が抑えられて保持されていることを特徴とするコネクタ。
【発明の詳細な説明】
【技術分野】
【０００１】
本発明は、スプリングにより一対の部材を正規の嵌合状態にロックするロック構造およびスプリングにより正規の嵌合状態にロックされるコネクタに関する。
【背景技術】
【０００２】
従来より、スプリングにより一対の部材を正規の嵌合状態にロックするロック構造として、例えば特許文献１に記載のロック構造が知られている。スプリングは弾性変位可能な一対の脚部を備えて、コネクタのハウジングに対して変位可能に装着されている。
【０００３】
このハウジングには、相手側コネクタのハウジングに設けられた被係合部が通過する通過路が形成されており、両ハウジングが正規の嵌合状態にあるときには、スプリングの脚部が通過路に張り出して被係合部の後方（相手側ハウジングの離間方向）に配され、その脚部と被係合部との係合により、両ハウジングを離脱不能にロックする。
【０００４】
そして、ロックされたコネクタを離間させる際には、指先でスプリングを押し下げることにより、脚部が通過路から退避する退避位置に変位させ、ロックの解除を行う。
【特許文献１】実開平１−９８４８５号公報
【発明の開示】
【発明が解決しようとする課題】
【０００５】
ところで、上記のようなロック構造のものにおいては、例えば、コネクタが高振動の環境下で使用された場合、スプリングの位置がずれて不用意にロックの解除がなされてしまう事態が懸念される。しかし、ロックの解除を可能にするには、ある程度スプリングを変位可能な状態にせざるを得えないという事情があり、対策が望まれていた。
本発明は上記のような事情に基づいて完成されたものであって、ロックの解除が可能で、かつスプリングの位置ずれを防止することができるロック構造およびコネクタを提供することを目的とする。
【課題を解決するための手段】
【０００６】
本発明は、弾性変位可能な一対の脚部を備えて一方の部材に装着されるスプリングにより、同一方の部材に対して正規嵌合した他方の部材を離脱不能にロックするロック構造であって、前記スプリングは、前記他方の部材の被係合部が通過する通過路に前記脚部が進入する進入位置と、前記通過路から前記脚部が退避する退避位置との間を変位可能とされ、前記一方の部材から上方に離間する方向に変位することで前記進入位置から前記退避位置に至るものであり、前記脚部が前記被係合部に係合することにより前記他方の部材を離脱不能にロックし、前記脚部が前記通過路から退避することでロックの解除がなされるものにおいて、前記一方の部材にはシーソー状に傾動可能なロック解除アームが設けられ、このロック解除アームの一端は、前記スプリングと前記一方の部材との間に配されて同スプリングを前記一方の部材から上方に離間する方向へ押し動かす押動部とされ、他端は、押圧操作されることによって前記押動部を押動する操作部とされており、前記ロック解除アームには、前記スプリングのうち前記一対の脚部の中間部を挟んで前記押動部とは反対側の位置に張出部が設けられ、前記押動部は、前記スプリングを押動する際に前記スプリングが押し付けられる側に凹む形状をなし、前記スプリングは前記押動部の凹みに落とし込まれるとともに、前記張出部によりその上端が抑えられて保持されていることに特徴を有する。
【０００７】
このような構成によれば、ロック解除アームの操作部を押圧操作すると、ロック解除アームの押動部がスプリングを一方の部材からの離間方向に押し動かしてロックの解除がなされる。また、スプリングは、張出部と押動部との間に挟み込まれているから位置ずれが防止される。したがって、ロックの解除を行うことができ、かつスプリングの位置ずれを防止することができる。
【０００８】
また、スプリングは、その幅方向中央部（一対の脚部の略中間部）が張出部と押動部との間に挟み込まれる。これにより、スプリングの片側が押動部から浮き上がるようにして位置がずれてしまうことを防ぐことができる。
【０００９】
また、ロック解除操作の際、スプリングは押動部の凹みに押し付けられた状態になり、押動部からの離脱を防止することができる。
【００１０】
前記スプリングは、前記一方の部材に形成された周方向に延びる溝部に装着されるものとしてもよい。これにより、スプリングの軸方向の位置ずれを防止することができる。
【００１１】
本発明のコネクタは、弾性変位可能な一対の脚部を備えてハウジングに装着されるスプリングにより、同ハウジングに対して正規嵌合した相手側ハウジングを離脱不能にロックするコネクタであって、前記スプリングは、前記相手側ハウジングの被係合部が通過する通過路に前記脚部が進入する進入位置と、前記通過路から前記脚部が退避する退避位置との間を変位可能とされ、前記ハウジングから上方に離間する方向に変位することで前記進入位置から前記退避位置に至るものであり、前記脚部が前記被係合部に係合することにより前記相手側ハウジングを離脱不能にロックし、前記脚部が前記通過路から退避することでロックの解除がなされるものにおいて、前記ハウジングにはシーソー状に傾動可能なロック解除アームが設けられ、このロック解除アームの一端は、前記スプリングと前記ハウジングとの間に配されて同スプリングを前記ハウジングから上方に離間する方向へ押し動かす押動部とされ、他端は、押圧操作されることによって前記押動部を押動する操作部とされており、前記ロック解除アームには、前記スプリングのうち前記一対の脚部の中間部を挟んで前記押動部とは反対側の位置に張出部が設けられ、前記押動部は、前記スプリングを押動する際に前記スプリングが押し付けられる側に凹む形状をなし、前記スプリングは前記押動部の凹みに落とし込まれるとともに、前記張出部によりその上端が抑えられて保持されている。
【発明の効果】
【００１２】
本発明によれば、ロックの解除を容易に行うことができ、かつスプリングの位置のずれを防止することが可能なロック構造およびコネクタを提供することができる。
【発明を実施するための最良の形態】
【００１３】
以下、本発明の実施形態を図１〜図７によって説明する。
本実施形態は、本発明のロック構造を、正規嵌合した一対のコネクタＦ，Ｍ（雌コネクタＦと雄コネクタＭ）を離脱不能にロックするロック構造に適用したものである。このロック構造は、雌コネクタＦの雌ハウジング１０（本発明の一方の部材に該当する）に装着されたスプリング４０により、雌ハウジング１０に正規嵌合した雄コネクタＭの雄ハウジング５０（本発明の他方の部材に該当する）を離脱不能にロックするものである。以下、各構成部材において、両コネクタＦ，Ｍにおける嵌合面側をそれぞれ前方とし、また図１の上側を上方、下側を下方として説明する。
【００１４】
雄コネクタＭは、雄ハウジング５０と、この雄ハウジング５０に保持された雄端子５１とを備えている。雄ハウジング５０は合成樹脂製であって、幅方向に若干長い略角筒状をなして前方に開口する前側フード部５２と、後方に開口する後側フード部５３とを備えている。雄端子５１は、３本が幅方向に並列して備えられ、それぞれ雄ハウジング５０の奥壁５４（前側フード部５２と後側フード部５３との間の壁）を前後方向に貫通して保持されている。３本の雄端子５１の前側部分は前側フード部５２内に、後側部分は後側フード部５３内においてそれぞれ前方および後方に突出している。
【００１５】
雄ハウジング５０の左右両側面には、左方または右方へ向かって突出する係合突起５５（本発明の被係合部に該当する）が設けられている（図５参照）。係合突起５５は、雄ハウジング５０の前後方向ほぼ中央位置に配されるとともに、その高さ位置は雄ハウジング５０の上下方向略中央位置とされている。係合突起５５の前側の面は、スプリング４０が乗り上がり易いように前方から後方に向かって緩やかに上る傾斜をなし、一方、後側の面は、スプリング４０が係合可能な係合面５６とされている。
【００１６】
雌コネクタＦは、雄ハウジング５０と嵌合可能な合成樹脂製の雌ハウジング１０を備えている。雌ハウジング１０は、雌端子１１を収容可能な端子収容部１２と、この端子収容部１２の外周側を囲う外筒部１３とを備えている。
端子収容部１２は、雄ハウジング５０の前側フード部５２内に嵌合可能な幅方向に若干長い略長方形断面の角柱状をなしている。この端子収容部１２には、雌端子１１を後方から挿入可能な３つのキャビティ１４が横並びに形成されている。
【００１７】
外筒部１３は全体として略筒状をなし、端子収容部１２の後端から前端にかけて設けられ、外筒部１３の後端と端子収容部１２の後端とが連結部１５によって連結されている。外筒部１３と端子収容部１２との間には、雄ハウジング５０の前側フード部５２が差し込み可能な間隔が空けられている。端子収容部１２の外周面のうち奥方部分にはシールリング１６が外嵌され、このシールリング１６が雄ハウジング５０の前側フード部５２と雌ハウジング１０の端子収容部１２との間に挟み付けられることで両ハウジング１０，５０間がシールされる。なお、外筒部１３の下面には、雌端子１１の抜け止めを図るリテーナ３８を、端子収容部１２に組み付けるための開口部１３Ａが開口されている。
【００１８】
雌ハウジング１０の後端部には、左右両側面から左右方向へそれぞれ突出する一対の指掛け部１７が設けられ、両コネクタＦ，Ｍを離脱させる際には、この指掛け部１７に指先を引っ掛けて雌ハウジング１０を引き抜くことが可能となっている。
【００１９】
外筒部１３の上面には、前後方向に延びる一対の立上り壁１８が設けられている。立上り壁１８は、雌ハウジング１０の後端から前端寄りの位置まで連続して延びる形態をなし、この立上り壁１８の内側には、後述するロック解除アーム２７が設けられている。
【００２０】
外筒部１３の上面のうち立上り壁１８の間の部分には、その前後方向略中央位置から雌ハウジング１０の後縁にかけて凹む形態の後側凹部１９が形成されている。後側凹部１９の凹み寸法は、後方へ向かって少しずつ深くされている。
【００２１】
外筒部１３の両側面には、一対の立上り壁１８の前端からそれぞれ外筒部１３の両側面に沿って周方向に延びる第１位置決め壁２１が設けられている。また、外筒部１３のうち第１位置決め壁２１の前方には、第２位置決め壁２２が設けられ、第２位置決め壁２２は、外筒部１３の上面と両側面とに沿って周方向に延びる壁状をなしている。第２位置決め壁２２と第１位置決め壁２１とは互いに略平行をなし、その間にはスプリング４０の前後方向幅寸法（直径）とほぼ等しい間隔が空けられている（図３参照）。
【００２２】
第２位置決め壁２２の幅方向略中央部（ロック解除アーム２７と対向する部分）には、ロック解除アーム２７の前端部を逃す前側凹部２３が凹み形成されている。前側凹部２３は、その幅方向両端部から中央へ向かって少しずつ凹み深さが大きくなる形状をなし、中央部の深さ寸法は、第２位置決め壁２２の壁厚寸法（前後方向の厚さ寸法）の半分程度とされている。
【００２３】
外筒部１３のうち第１位置決め壁２１と第２位置決め壁２２との間の部分（前端寄りの部分）は、スプリング４０が装着される装着部２４とされており、この部分が本発明の溝部に該当する。装着部２４は、外筒部１３の外周面を内側に凹ませてなる部分と、第１位置決め壁２１および第２位置決め壁２２とから構成される。
【００２４】
外筒部１３の左右両側壁には、雄ハウジング５０の係合突起５５が通過可能な通過路２５が設けられている。通過路２５は、外筒部１３の前端から後方へ延びる形態をなすとともに装着部２４と連通している。
【００２５】
装着部２４と通過路２５とが連通する部分である連通部２６の上面２６Ａおよび下面２６Ｂは、外側（装着部２４側）から内側に向かって互いに接近する傾斜をなし、その内側における連通部２６の上下方向寸法は、係合突起５５の上下方向寸法とほぼ等しい寸法とされている（図５参照）。連通部２６の上面２６Ａは、スプリング４０の係合部４３を装着部２４側から通過路２５側へ導く傾斜をなしている。
【００２６】
雌ハウジング１０の装着部２４に装着されているスプリング４０は、全体として下方に開放された略Ｕ字状をなし、互いに対向方向に弾性変位可能な一対の脚部４１と、この脚部４１の上端部同士を連結する上辺部４２とを備えている。一対の脚部４１は、自然状態にあるときには、上辺部４２の両端からこの上辺部４２に対して略垂直方向に垂下している。
【００２７】
脚部４１の下端部は、内側（互いに接近方向）に略山状をなして屈曲された形状をなし、この屈曲された部分は通過路２５に張り出す係合部４３とされている。係合部４３は、その内方に向かって互いに接近する上側傾斜辺４３Ａと下側傾斜辺４３Ｂとからなり、全体として上下方向の幅寸法が小さくなる形状をなしている。なお、係合部４３の突出端部（上側傾斜辺４３Ａと下側傾斜辺４３Ｂとの連結部分）には丸みが付されている。
【００２８】
このスプリング４０は、係合部４３が通過路２５に張り出す進入位置（図５参照）と、係合部４３が通過路２５から退避する退避位置（図６参照）との間で変位可能に装着されている。スプリング４０が進入位置にあるときには、通過路２５に張り出した係合部４３が、通過路２５を通過する係合突起５５に押されることにより脚部４１が外側へ弾性撓みし、両コネクタＦ，Ｍが正規の嵌合状態に至ると、脚部４１が弾性復帰して係合部４３が係合面５６に係合し、雄ハウジング５０を離脱不能にロックする。そして、スプリング４０は、進入位置から上方（雌ハウジング１０から離間する方向）に変位することにより退避位置に至る。スプリング４０が退避位置に至ると、係合部４３は通過路２５から退避してロックの解除がなされ、通過路２５から退避した係合部４３は、連通部２６の上面２６Ａの外側に位置する。
【００２９】
ロック解除アーム２７は、前後方向（雄ハウジング５０との嵌合方向）に延びるとともに、幅方向両側に設けられた回動軸部２８を介して立上り壁１８に連結されている（図２および図３参照）。そして、ロック解除アーム２７は、回動軸部２８を支点としてシーソー状に傾動可能とされている。ロック解除アーム２７は、雌ハウジング１０の後端から第２位置決め壁２２の前側凹部２３まで突出する長さ寸法を備え、回動軸部２８は、ロック解除アーム２７の長手方向ほぼ中央位置に設けられている。なお、ロック解除アーム２７が自然状態にあるときには、ロック解除アーム２７は外筒部１３の上面と略平行をなす（図１参照）。
【００３０】
ロック解除アーム２７の前端部（一端）はスプリング４０の下側に配され、ロック解除アーム２７が傾動するとスプリング４０を上方（雌ハウジング１０から離間する方向）へ押し上げる押動部２９とされている。ロック解除アーム２７の前端部には上方へ立ち上がる前壁部３１が設けられ、この前壁部３１により、押動部２９は下方へ凹む形状、すなわちスプリング４０を押し上げる際に、スプリング４０が押し付けられる側に凹む形状をなしている。前壁部３１は、第２位置決め壁２２の前側凹部２３に入り込んだ状態となり、ロック解除アーム２７が自然状態にあるときには、その後面と第２位置決め壁２２の後面（第１位置決め壁２１との対向面）とは略面一をなしている。前壁部３１は、上端へ向かって幅方向寸法が少しずつ小さくなる略山状をなしている。
【００３１】
さて、前壁部３１の上端には、後方へ突出する張出部３２が設けられている。張出部３２の突出寸法は、スプリング４０の前後方向幅の略半分の寸法（半径）とほぼ等しい寸法とされている。張出部３２は、スプリング４０の上辺部４２の幅方向中央部（一対の脚部４１の略中間部）の上側（スプリング４０を挟んで押動部２９とは反対側）に配される（図３および図５参照）。
【００３２】
張出部３２の上面は、突出端へ向かって下方へ下る傾斜をなす装着誘導面３３とされ、装着部２４へのスプリング４０の装着をスムーズに行うことが可能となっている。張出部３２の下面は、スプリング４０の上辺部４２を上方から抑える抑え面３４とされている。抑え面３４は、その突出端がスプリング４０の上端を押さえるように若干下方へ突出した略弧状をなしている。
【００３３】
張出部３２はロック解除アーム２７と一体に設けられ、抑え面３４と押動部２９との間にはスプリング４０の上辺部４２の上下方向の幅寸法（直径）とほぼ等しい間隔が空けられている。これにより、スプリング４０の上辺部４２の幅方向中央部は、抑え面３４と押動部２９との間で上下方向にほぼ隙間のない状態で挟み込まれて保持される。
【００３４】
また、スプリング４０全体は、第１位置決め壁２１と、前壁部３１および第２位置決め壁２２との間で前後方向にほぼ隙間のない状態で挟まれた状態になる。第１位置決め壁２１および第２位置決め壁２２の高さ寸法は、スプリング４０が進入位置と退避位置との間において変位した場合にも、スプリング４０の前後を挟むことが可能な寸法に設定されている。
【００３５】
ロック解除アーム２７の後端部（他端）は、押圧操作されることにより押動部２９を押し動かすロック解除操作部３５とされている。ロック解除操作部３５は、ロック解除アーム２７のうち回動軸部２８よりも前側の部分に比べて幅広の形状をなし、その上面には後方に向かって徐々に上る傾斜の被押圧斜面３６が形成されている。また、ロック解除操作部３５の下面は後端へ向かって上る傾斜をなし、言い換えると、ロック解除操作部３５は後端へ向かって上下方向の厚さ寸法が小さくなる形状をなしている。このロック解除操作部３５の下面の傾斜と雌ハウジング１０の後側凹部１９とにより、雌ハウジング１０の高さ寸法をできるだけ小さく抑えつつロック解除操作部３５の下方への十分な弾性変位量を確保している。
【００３６】
ロック解除アーム２７が自然状態にあるときには、スプリング４０は進入位置に保持され、雌ハウジング１０は雄ハウジング５０とのロックが可能な状態にあり、このときのロック解除アーム２７の状態をロック可能状態（図１参照）と称する。そして、ロック解除操作部３５が押圧操作されてロック解除アーム２７が傾動したときには、押動部２９がスプリング４０を上方へ押し動かして、スプリング４０が退避位置に変位した状態、すなわち雄ハウジング５０とのロックが解除された状態にあり、このときのロック解除アーム２７の状態をロック解除状態（図６参照）と称する。
【００３７】
次に、雄コネクタＭと雌コネクタＦとを正規の嵌合状態にロックする作業について説明する。ロック解除アーム２７は常にはロック可能位置にセットされ、スプリング４０は常には進入位置にセットされている。
【００３８】
まず、雌ハウジング１０を指で把持し、雄ハウジング５０の係合突起５５に対して雌ハウジング１０の通過路２５を位置合わせしつつ雄コネクタＭ側に徐々に押し込んでいく。すると、係合突起５５が通過路２５を前進してその前側の面がスプリング４０の係合部４３に接触し、係合突起５５の前進に伴って係合部４３は係合突起５５に乗り上がるとともに脚部４１は互いに拡開方向に弾性変位する。このとき、ロック解除アーム２７の張出部３２がスプリング４０の上側に配されているから、脚部４１が弾性変位する際にスプリング４０が上方へ浮き上がってしまう事態を確実に防ぐことができる。
【００３９】
そして、両コネクタＦ，Ｍが正規嵌合状態に至ると脚部４１が弾性復帰し、係合部４３が係合突起５５に係合して両ハウジング１０，５０が離間不能にロックされる。なお、両コネクタＦ，Ｍの正規の嵌合状態においては、シールリング１６と電線用ゴム栓３７とによって両ハウジング１０，５０の内部空間が密閉され、また、雄雌両端子１１，５１が正規に導通接続される。
【００４０】
こうして正規嵌合した両コネクタＦ，Ｍにおいて、スプリング４０は、張出部３２と押動部２９との間に挟み込まれて保持されているから、装着部２４に対して上下方向および周方向に位置ずれすることが防止される。スプリング４０の位置ずれが防止されることで、スプリング４０と雄ハウジング５０の係合突起５５との係合状態が確実に保持されるから、ロックの信頼性を高めることができる。
【００４１】
加えて、スプリング４０は、抑え面３４と押動部２９との間にほぼ隙間のない状態で挟まれているからがた付きが防止され、また、第１位置決め壁２１と第２位置決め壁２２との間にほぼ隙間なく挟まれているから前後方向（雌ハウジング１０に対する軸方向）の位置ずれおよびがた付きが防止された状態にある。このようにスプリング４０と雌ハウジング１０との間の位置ずれを防止することができるから、両コネクタＦ，Ｍは高振動の環境下での使用に耐え得るものとなる。
【００４２】
次に、正規嵌合状態でロックされた両コネクタＦ，Ｍを離脱させる。まず、ロック可能状態にあるロック解除アーム２７の被押圧斜面３６に指先を当てて、ロック解除操作部３５を下方へ押圧操作すると、ロック解除アーム２７が傾動して押動部２９がスプリング４０を上方へ押し上げていく。このとき、スプリング４０は、その幅方向中央部（一対の脚部４１の略中間位置）において張出部３２により上方（雌ハウジング１０から離間する方向）への変位が規制されるから、スプリング４０の片側（例えば張出部がスプリング４０の幅方向の一方に寄った位置に配されている場合には、その他方の側）が押動部２９から浮き上がるようにして、位置がずれてしまうことを防ぐことができる。
【００４３】
そして、スプリング４０が押動部２９によって押し上げられるのに伴って、係合部４３が連通部２６の上面２６Ａの傾斜に沿って外側に導かれて脚部４１が弾性的に拡開変形し、ロック解除アーム２７がロック解除状態に至ると、係合部４３が連通部２６の上面２６Ａの上端に位置して通過路２５から退避した状態になる。ここで、スプリング４０の上方に張出部３２が設けられていない場合には、スプリング４０を引き上げる勢いが強過ぎて押動部から離脱してしまうおそれがある。しかしながら、本実施形態のように張出部３２が設けられていることにより、そのようなスプリング４０の離脱を防止することができる。
【００４４】
また、押動部２９は、スプリング４０を押動する際に、スプリング４０が押し付けられる側に凹む形状をなしているから、ロック解除操作の際、スプリング４０が押動部２９から離脱してしまうことを回避できる。
【００４５】
さらに、ロック解除アーム２７の押動部２９は、スプリング４０の幅方向の略中央部を押動操作するから、スプリング４０を押し動かす力がスプリング４０にバランスよく作用し、ロック解除操作を効率よく行うことができる。
【００４６】
そして、ロック解除アーム２７を操作して係合突起５５が後進可能な状態、すなわちロックが解除された状態にしたら、雌ハウジング１０の指掛け部１７に指を引っ掛けて雌ハウジング１０の両側を挟持し、後方へ引き抜いて両コネクタＦ，Ｍを離脱させる。
【００４７】
そして、両コネクタＦ，Ｍの離脱操作を終えた後に、ロック解除操作部３５を押圧していた指を離すと、ロック解除アーム２７は自然にロック可能状態に復帰し、スプリング４０を押し下げる力が開放されて、脚部４１の弾性力で係合部４３は連通部２６の上面２６Ａに押し付けられ、その傾斜により通過路２５に誘い込まれてスプリング４０が退避位置から進入位置に変位する。したがって、ロック解除操作部３５から指先を離すだけで、スプリング４０が自動的に進入位置にセットされるから、両コネクタＦ，Ｍを離間した後、再び嵌合を行う際にスプリング４０を進入位置に再セットする必要がなく、コネクタの嵌合・離脱作業にかかる手間を省くことができる。
【００４８】
さらに、張出部３２が設けられていることにより、雌コネクタＦが単体にあるときの位置ずれを防ぐことができる。ここで、雌コネクタＦの単体時にスプリング４０の位置がずれた場合には、雄コネクタＭと嵌合させる際にスプリング４０を正しい位置に再セットしなければならず手間がかかる。しかしながら、本実施形態のように張出部３２が設けられることにより、スプリング４０の位置ずれが防止されるので、再セット等の作業は不要であり、コネクタの嵌合にかかる手間を省くことができる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記実施形態によれば、上記実施形態では、本発明を、コネクタのロック構造に適用したが、これに限らず、互いに嵌合可能な一対の部材のロック構造であれば、どのような部材のロック構造にも適用することができる。
【００５１】
（２）上記実施形態によれば、ロック解除アーム２７は、回動可能な連結回動軸によりシーソー状に傾動する形態をなしているが、ロック解除アームはシーソー状に傾動可能であればどのような形態をなしていてもよく、例えば、雌ハウジングの上面から立ち上がる支持脚をロック解除アームに連結し、この支持脚を支点として傾動する形態としてもよい。
【図面の簡単な説明】
【００５２】
【図１】本実施形態のコネクタが正規の嵌合状態にロックされた状態を表す縦断面図
【図２】雌コネクタの外観斜視図
【図３】同平面図
【図４】同側面図
【図５】両コネクタが正規の嵌合状態にロックされた状態を表す横断面図
【図６】ロック解除状態の雌コネクタの横断面図
【図７】両コネクタが離間した状態を表す縦断面図
【符号の説明】
【００５３】
１０…雌ハウジング（一方の部材）
２４…装着部（溝部）
２５…通過路
２７…ロック解除アーム
２９…押動部
３２…張出部
３５…ロック解除操作部（操作部）
４０…スプリング
４１…脚部
４３…被係合部
５０…雄ハウジング（他方の部材）
【図１】
0004924902.tif 000002
【図２】
0004924902.tif 000003
【図３】
0004924902.tif 000004
【図４】
0004924902.tif 000005
【図５】
0004924902.tif 000006
【図６】
0004924902.tif 000007
【図７】
0004924902.tif 000008